(57)【要約】【課題】加熱性能および保温性能に関してともに実用水準を満足し、取り扱いも容易で低コストの電磁誘導加熱調理器用保温容器を提供する。【解決手段】被加熱物を収容可能であり、少なくとも底面２１に電磁誘導加熱可能な材料が配置された内部容器２と、前記内部容器の上面を閉鎖可能かつ開放可能に配置された蓋部４と、前記内部容器を取り出し可能に収納し、前記内部容器２の前記底面２１および側面２２を覆う電気絶縁性の断熱材料からなる外部断熱カバー３とを有し、前記外部断熱カバーの底面部の厚さは２〜１０ｍｍの範囲である。【選択図】図２
0003119361.tif 000002
【実用新案登録請求の範囲】
【請求項１】
被加熱物を収容可能であり、少なくとも底面（２１）に電磁誘導加熱可能な材料が配置された内部容器（２）と、
前記内部容器（２）の上面を閉鎖可能かつ開放可能に配置された蓋部（４）と、
前記内部容器（２）を取り出し可能に収納し、前記内部容器（２）の前記底面（２１）および側面（２２）を覆う電気絶縁性の断熱材料からなる外部断熱カバー（３）とを有し、
前記外部断熱カバー（３）の底面部の厚さは２〜１０ｍｍの範囲である電磁誘導加熱調理器用保温容器。
【請求項２】
請求項１に記載した電磁誘導加熱調理器用保温容器であって、
前記外部断熱カバー（３）の底面部の厚さが３〜５ｍｍの範囲である電磁誘導加熱調理器用保温容器。
【請求項３】
請求項１，２のいずれか１項に記載した電磁誘導加熱調理器用保温容器であって、
前記外部断熱カバー（３）は、発泡ゴム材料を主要部とするものである電磁誘導加熱調理器用保温容器。
【請求項４】
請求項３に記載した電磁誘導加熱調理器用保温容器であって、
前記外部断熱カバー（３）は、クロロプレンゴムの発泡体の外表面に合成繊維布が貼り付けられたものである電磁誘導加熱調理器用保温容器。
【請求項５】
請求項１〜４のいずれか１項に記載した電磁誘導加熱調理器用保温容器であって、
前記外部断熱カバー（３）は、上下に摺動して閉鎖開放を行うスライドファスナー（３１）が配置されており、前記スライドファスナー（３１）を開放して前記内部容器（２）を取り出すことが可能なものである電磁誘導加熱調理器用保温容器。
【請求項６】
請求項１〜５のいずれか１項に記載した電磁誘導加熱調理器用保温容器であって、
前記内部容器（２）は、板厚０．８〜２ｍｍのステンレス綱板材からなるものである電磁誘導加熱調理器用保温容器。
【考案の詳細な説明】
【技術分野】
【０００１】
この考案は、電磁誘導加熱調理器とともに使用して水などの飲料等を加熱および保温するための保温容器に関し、詳しくは、加熱性能および保温性能ともに実用水準を満足し、取り扱いも容易な保温容器に関するものである。
【背景技術】
【０００２】
電磁誘導加熱調理器は燃焼炎を使用しない安全かつ高効率の加熱調理器として急速に普及が拡大している。このような電磁誘導加熱調理器とともに使用するための調理容器としては、下記の特許文献１に記載されたようなものが公知である。特許文献１には、周側部を真空二重構造の断熱部とし、底部を磁性を有する１枚の板材とした調理容器が記載されている。また、電磁誘導加熱調理器において、調理鍋内の調理物の加熱性能を向上させ、また、加熱後の保温性能を向上させるために、調理鍋を断熱性のカバーによって覆うようにしたものが下記の特許文献２に記載されている。
【特許文献１】特開平９−１８７３７０号公報
【特許文献２】特開平９−３７９５２号公報
【考案の開示】
【考案が解決しようとする課題】
【０００３】
特許文献１に記載された調理容器では、容器側壁を真空二重構造とするため、製造コストが増加してしまうという問題点があった。また、底面部には保温のための構成が存在せず、熱が底面を通して逃げやすいという問題点があった。このため、調理容器を直接食卓等の卓上に置くことができず、鍋敷き等が必要になるという取り扱いにくさがあった。
【０００４】
特許文献２に記載された電磁調理器では、調理鍋はこの電磁調理器専用のものが使用されている。このように、電磁誘導加熱調理器とともに使用する調理容器の種類が限定されてしまうという問題点があった。また、断熱枠があるために、調理容器の持ち運び等の取り扱い面においては、必ずしも好ましいものではなかった。さらに、特許文献１のものと同様に、製造コストや底面部の断熱性においても問題点があった。
【０００５】
そこで、本考案は、加熱性能および保温性能に関してともに実用水準を満足し、取り扱いも容易で低コストの電磁誘導加熱調理器用保温容器を提供することを目的とする。
【課題を解決するための手段】
【０００６】
上記目的を達成するために、本考案の電磁誘導加熱調理器用保温容器は、被加熱物を収容可能であり、少なくとも底面に電磁誘導加熱可能な材料が配置された内部容器と、前記内部容器の上面を閉鎖可能かつ開放可能に配置された蓋部と、前記内部容器を取り出し可能に収納し、前記内部容器の前記底面および側面を覆う電気絶縁性の断熱材料からなる外部断熱カバーとを有し、前記外部断熱カバーの底面部の厚さは２〜１０ｍｍの範囲である。
【０００７】
また、上記の電磁誘導加熱調理器用保温容器において、前記外部断熱カバーの底面部の厚さが３〜５ｍｍの範囲であることが好ましい。
【０００８】
また、上記の電磁誘導加熱調理器用保温容器において、前記外部断熱カバーは、発泡ゴム材料を主要部とするものであることが好ましい。
【０００９】
また、上記の電磁誘導加熱調理器用保温容器において、前記外部断熱カバーは、クロロプレンゴムの発泡体の外表面に合成繊維布が貼り付けられたものであることが好ましい。
【００１０】
また、上記の電磁誘導加熱調理器用保温容器において、前記外部断熱カバーは、上下に摺動して閉鎖開放を行うスライドファスナーが配置されており、前記スライドファスナーを開放して前記内部容器を取り出すことが可能なものであることが好ましい。
【００１１】
また、上記の電磁誘導加熱調理器用保温容器において、前記内部容器は、板厚０．８〜２ｍｍのステンレス綱板材からなるものであることが好ましい。
【考案の効果】
【００１２】
本考案は、以上のように構成されているので、以下のような効果を奏する。
【００１３】
内部容器の底面および側面を断熱材料からなる外部断熱カバーで覆っているので、加熱性能および保温性能に関してともに実用水準を満足する保温容器を低コストで提供できる。また、保温容器内に熱湯を収容していても、保温容器の外周を直接手で持つことができ、テーブル等の上面に直接載置することができるので、取り扱いが容易で使い勝手がよい。
【００１４】
外部断熱カバーの底面部の厚さが３〜５ｍｍの範囲であれば、加熱性能および保温性能に関してさらにバランスの取れたものとなる。
【００１５】
外部断熱カバーの主要部を発泡ゴム材料とすれば、断熱性を向上させるとともに製造コストを低下させることができる。
【００１６】
特に、外部断熱カバーの主要部をクロロプレンゴムの発泡体とすれば、耐熱性、耐久性、耐薬品性、難燃性等を点で優れた外部断熱カバーとなる。また、発泡体の外表面に合成繊維布を貼り付けることにより、色、模様や手触りも使用者の好みに応じた種々の形態とすることが可能となる。
【００１７】
外部断熱カバーに上下に摺動して閉鎖開放を行うスライドファスナーが配置されているので、スライドファスナーを開放して内部容器を簡単に取り出すことができるため、内部容器の洗浄等を容易に行うことができる。また、外部断熱カバー内に内部容器を収納するのも容易である。
【００１８】
内部容器を板厚０．８〜２ｍｍのステンレス綱板材からなるものとすれば、電磁誘導加熱調理器による加熱性も良好で、耐腐食性や耐久性にも優れた保温容器となる。
【考案を実施するための最良の形態】
【００１９】
本考案の実施の形態について図面を参照して説明する。図１は、本考案の電磁誘導加熱調理器用の保温容器１の全体構成を示す正面図である。また、図２は保温容器１の構成を示す断面図である。保温容器１は、湯沸かし保温ポットの例である。保温容器１内に飲料水等を収容して電磁誘導加熱調理器のトッププレート上に載置し、内部の飲料水等を加熱することができる。また、保温容器１は十分な断熱機能および保温機能があるので、飲料水等の加熱後に保温容器１をテーブル等の上面に直接載置することができる。断熱用の鍋敷きなども不要であり、取り扱いが極めて容易であるとともに使い勝手がよい。また、保温機能により、内部の温水を長時間高温に保つことができる。
【００２０】
保温容器１は、内部容器２と外部断熱カバー３と蓋部４とからなる。内部容器２は、ＪＩＳ規格におけるＳＵＳ４３０等のステンレス綱板材を加工して容器としたものである。板材の板厚は０．８〜２ｍｍ程度が適当である。板材の材料は、電磁誘導加熱による加熱性の点からＳＵＳ４３０が適しているが、ＳＵＳ３０４等の他のステンレス綱や、アルミニウム合金なども使用可能である。
【００２１】
内部容器２の少なくとも底面２１には、電磁誘導加熱可能な材料が配置されている必要がある。この実施の形態の内部容器２は、図２の断面図に示すように、底面２１および側面２２が同一のステンレス綱板材からできている。底面２１および側面２２とも電磁誘導加熱可能な材料である。必ずしも内部容器２全体を同一の材料で製造する必要はなく、底面２１のみを電磁誘導加熱可能な材料としてもよい。電磁誘導加熱可能な材料としては、前述のＳＵＳ４３０、ＳＵＳ３０４等のステンレス綱やアルミニウム合金の他にも、任意の金属材料が使用できる。電磁誘導による加熱性、耐腐食性、重量等を考慮して適宜の材料を選択することができる。
【００２２】
内部容器２の上部は開放されて口部２３を構成している。この口部２３を閉塞可能な蓋部４が配置されている。蓋部４には取っ手４１が取り付けられており、取っ手４１を手で持って蓋部４を容易に着脱することができる。蓋部４の材料は内部容器２と同じ材料でもよいし、別の材料でもよい。保温性をさらに向上させるためには、断熱性材料等を使用してもよい。
【００２３】
また、内部容器２は外部断熱カバー３によって底面２１および側面２２の外側を覆われており、これによって保温容器１の断熱機能および保温機能を大幅に向上させている。外部断熱カバー３は、ちょうど内部容器２を収納可能な形状に形成されている。
【００２４】
外部断熱カバー３の側面上下方向には図示のようにスライドファスナー３１が配置され、外部断熱カバー３の上面および側面を大きく開放することができる。すなわち、スライダー３２を最下方まで摺動させれば、外部断熱カバー３の上面および側面が大きく開放され、内部容器２を外部断熱カバー３内に収納したり、外部断熱カバー３から取り出したりすることが極めて容易に行える。外部断熱カバー３内に内部容器２を収納してスライダー３２を上方まで摺動させれば、図１に示すように内部容器２の底面２１および側面２２を外部断熱カバー３によってほぼ隙間なく覆うことができる。
【００２５】
外部断熱カバー３は、電気絶縁性の断熱材料からなり、電磁誘導加熱調理器のトッププレートからの磁力線にほとんど影響を及ぼさないものを使用する。すなわち、外部断熱カバー３によって、保温容器１の加熱性能に悪影響を及ぼすことはほとんどない。ただ、加熱材料である内部容器２の底面２１とトッププレートとの間に所定の距離の間隔が生じることとなり、加熱性能はこの間隔の影響を受ける。これに関しては後述する。
【００２６】
なお、外部断熱カバー３は電気絶縁性であるため、外部断熱カバー３自体が電磁誘導加熱を受けることもない。この実施の形態での外部断熱カバー３は、クロロプレンゴムの発泡体の外表面に合成繊維布が貼り付けられたもので形成されている。クロロプレンゴムはクロロプレンを乳化重合して作られる合成ゴムであり、耐熱性、耐老化性、耐オゾン性、耐候性、耐薬品性、難燃性等の点で優れている。このクロロプレンゴムを発泡体としてスポンジ状の所定厚さの断熱カバーとして成形する。外表面に貼り付ける合成繊維布は、ポリアミド系繊維（いわゆるナイロン）の布が好ましい。
【００２７】
図３は、実際に保温容器の加熱性を電磁誘導加熱調理器を使用して実験した結果を示す図である。ＳＵＳ４３０からなる内部容器２を電磁誘導加熱調理器のトッププレート上面から所定距離の間隔Ｄをあけて配置し、電磁誘導加熱調理器による加熱開始からの時間と内部容器２内の飲料水の水温との関係を測定したものである。間隔Ｄは、０ｍｍ，２．５ｍｍ，３．７５ｍｍ，５ｍｍ，７．５ｍｍ，１０ｍｍ，２２．５ｍｍとして、それぞれの場合の加熱開始からの時間と内部容器２内の水温との関係を示している。
【００２８】
図３から分かるように、間隔Ｄを０ｍｍとした場合（トッププレート上面に内部容器２を直接載置した場合）は、約５分で飲料水が１００℃まで加熱された。そして、間隔Ｄを２．５ｍｍ，３．７５ｍｍと増加させても、１００℃に到達するまでの加熱時間はほとんど変わらなかった。１００℃までの加熱時間は、間隔Ｄを５ｍｍとすると６分になり、間隔Ｄを７．５ｍｍとすると７分、間隔Ｄを１０ｍｍとしても７分であった。しかし、間隔Ｄを２２．５ｍｍとすると、１００℃までの加熱時間が２０分を超えた。
【００２９】
このように、トッププレート上面と内部容器２の底面との間隔が１０ｍｍ以内ならば、加熱性能に目立った低下が生じることなく、実用的な加熱性能を発揮することができる。したがって、外部断熱カバー３の底面部の厚さ（図２における厚さＴ）は、保温性能も考慮すれば２〜１０ｍｍの範囲が適当である。より適切な範囲としては、３〜５ｍｍの範囲が望ましい。
【００３０】
図４は、保温容器１の保温性能を実験した結果を示すグラフである。保温容器１の外部断熱カバーを、無し、厚さ３ｍｍ、厚さ４ｍｍ、厚さ５ｍｍと変更して保温性能を比較したものである。保温容器１には１Ｌの飲料水を収容し、１００℃まで加熱した後加熱を停止し、加熱停止後の温水の温度の時間変化を測定した。グラフの横軸は加熱停止後の時間［分］を表し、縦軸は水温［℃］を表す。点線のグラフが外部断熱カバー無しの場合の水温変化を示し、実線のグラフが厚さ３ｍｍの外部断熱カバーの場合の水温変化を示す。一点鎖線のグラフが厚さ４ｍｍの外部断熱カバーの場合の水温変化を示し、二点鎖線のグラフが厚さ５ｍｍの外部断熱カバーの場合の水温変化を示す。
【００３１】
外部断熱カバーとしてはクロロプレンゴムの発泡体を使用し、底面部の厚さと側面部の厚さを同一のものとした。図４に示すように、厚さ３〜５ｍｍの外部断熱カバーを使用した場合は、外部断熱カバーがない場合に比較して大幅に保温性能を向上させることができる。１００℃から９０℃まで水温が低下するのに要する時間は、厚さ３ｍｍの外部断熱カバー使用でほぼ１．３倍に延長され、厚さ５ｍｍの外部断熱カバー使用でほぼ１．８倍に延長される。
【００３２】
なお、ここでは外部断熱カバーとして、底面部の厚さと側面部の厚さを同一のものとしたが、底面部の厚さと側面部の厚さを異なるものとしてもよい。加熱性能の観点から、底面部の厚さは２〜１０ｍｍの範囲（さらに好ましくは３〜５ｍｍの範囲）とする必要があるが、側面部の厚さはそれよりも厚くしてもよい。側面部の厚さをさらに厚くすれば、それだけ保温性能を向上させることができる。ただし、製造コストに関しては均一な厚さの外部断熱カバーの方が有利である。また、外部断熱カバーの材質は、クロロプレンゴムの発泡体以外でも、同様の断熱性、耐熱性、耐久性を有する材料を使用することができる。例えば、シリコーン樹脂発泡体、ニット、フェルト等も使用可能である。
【００３３】
以上のように、保温容器１の内部容器２の外周を外部断熱カバー３で覆うようにしたので、加熱性能および保温性能に関してともに実用水準を満足するものとなる。保温容器１内に熱湯を収容していても、保温容器１の外周を直接手で持つことができ、また、テーブル等の上面に直接載置することができるので、取り扱いが容易で使い勝手がよい。また、保温容器１の製造コストも低コストで提供できる。
【００３４】
なお、以上の説明では、保温容器として湯沸かし保温ポットの例に関して説明したが、本考案は他の形態および用途の保温容器にも適用可能である。
【産業上の利用可能性】
【００３５】
本考案により、加熱性能および保温性能に関してともに実用水準を満足し、取り扱いも容易で低コストの電磁誘導加熱調理器用保温容器を提供することができる。
【図面の簡単な説明】
【００３６】
【図１】本考案の電磁誘導加熱調理器用の保温容器１の全体構成を示す正面図である。
【図２】保温容器１の構成を示す断面図である。
【図３】保温容器１の加熱性を電磁誘導加熱調理器を使用して実験した結果を示す図である。
【図４】保温容器１の保温性能を実験した結果を示すグラフである。
【符号の説明】
【００３７】
１  保温容器
２  内部容器
３  外部断熱カバー
４  蓋部
２１  底面
２２  側面
２３  口部
３１  スライドファスナー
３２  スライダー
４１  取っ手
【図１】
0003119361.tif 000003
【図２】
0003119361.tif 000004
【図３】
0003119361.tif 000005
【図４】
0003119361.tif 000006